【事件の表示】
　特願２０１２−２６４２１６「回路付サスペンション基板」拒絶査定不服審判事件〔平成２６年　６月１２日出願公開、特開２０１４−１１００６６〕について、次のとおり審決する。
【結　論】
　本件審判の請求は、成り立たない。
【理　由】
第１　手続の経緯
　本願は、平成２４年１２月３日の出願であって、平成２８年８月４日付けで拒絶理由が通知され、同年１０月６日に意見書及び手続補正書が提出され、平成２９年２月９日付けで拒絶査定されたところ、同年５月９日に拒絶査定不服審判の請求がなされたものである。
第２  本願発明
　本願の請求項１−３に係る発明は、平成２８年１０月６日になされた手続補正により補正された特許請求の範囲の請求項１−３に記載された事項により特定されるものと認められるところ、その請求項１に係る発明（以下、「本願発明」という。）は、以下のとおりのものである。
「　【請求項１】
  磁気ヘッドを搭載するスライダと、本体および前記本体から突出するように設けられる光源を備える光源装置とが設けられるスライダ／光源ユニットを搭載するための回路付サスペンション基板であって、
  前記回路付サスペンション基板には、前記光源を受け入れ可能な受入部が形成されており、
　前記回路付サスペンション基板は、前記スライダ／光源ユニットが搭載されるときに、前記光源を前記受入部に案内するための案内面を備え、
　前記回路付サスペンション基板は、長手方向に延びる金属支持基板と、前記金属支持基板の厚み方向一方側に積層されるベース絶縁層とを備え、
　前記金属支持基板には、支持開口部が形成されており、
　前記ベース絶縁層には、前記支持開口部と前記厚み方向において部分的に重複するベース開口部と、前記ベース開口部の前記長手方向一端部から、前記長手方向一方側に向かって突出する突出開口とが形成されており、
　前記受入部は、前記突出開口によって区画され、
　前記案内面は、前記突出開口の端面から形成されていることを特徴とする、回路付サスペンション基板。」
第３　原査定の拒絶の理由の概要
　「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」として、請求項１について、以下の引用文献１及び２が引用された。
　１．特開２０１２−１０４２１１号公報
　２．特開２０１２−０１８７４７号公報
第４　引用例の記載事項及び引用発明等
１　引用例１の記載事項及び引用発明
　原査定の拒絶の理由で引用された、特開２０１２−１０４２１１号公報（平成２４年５月３１日公開。以下「引用例１」という。）には、図面とともに、次の記載がある（下線は当審において付与。）。
（１）「【背景技術】
　【０００２】
　
近年、種々の電子素子を搭載した回路付サスペンション基板が知られている。電子素子としては、例えば、光アシスト法により記録密度の向上を図るための発光素子
が知られている
　【０００３】
　例えば、光アシスト法を採用すべく、金属支持基板と、金属支持基板の表面に実装される発光素子およびスライダとを備える回路付サスペンション基板において、発光素子と電気的に接続される素子側端子部と、スライダに搭載される磁気ヘッドと電気的に接続されるヘッド側接続端子部とを、金属支持基板の同一表面に形成することが知られている。
　【０００４】
　しかし、そのような構成では、発光素子とスライダとの両方を、金属支持基板の同一表面に実装するので、素子側端子部とヘッド側接続端子部とを、高い密度で配置しなければならず、回路付サスペンション基板のコンパクト化が困難となる。
　【０００５】
　そこで、例えば、
回路付サスペンション基板の表面に設けられるヘッド側端子と、回路付サスペンション基板の裏面に設けられる素子側端子とを含む導体パターンを備え、ヘッド側端子に電気的に接続される磁気ヘッドを搭載するスライダと、素子側端子に電気的に接続される発光素子とを搭載する回路付サスペンション基板が提案されている（例えば、下記特許文献１参照。）。
（２）「【００２３】
（第１実施形態）
　図１は、本発明の回路付サスペンション基板の第１実施形態の平面図、図２は、図１に示す回路付サスペンション基板の底面図、図３は、図１に示す回路付サスペンション基板のＡ−Ａ線に沿う断面図を示す。
（中略）
　【００３０】
　
スライダ搭載領域９は、スライダ３９（後述）を実装するための領域であって
　【００３１】
　また、
回路付サスペンション基板１は、図１および図３に示すように、金属支持基板１１と、金属支持基板１１の表面に積層される第１絶縁層としての第１ベース絶縁層１２と、第１ベース絶縁層１２の表面に積層される第１導体パターン１３と
を備えている
　【００３２】
　金属支持基板１１は、長手方向に延び、上記した回路付サスペンション基板１の外形形状と同じ外形形状に形成されている。
　【００３３】
　また、
金属支持基板１１には、電子素子搭載空間としての挿通開口部３６と、導通開口部２９とが形成されている
　【００３４】
　
挿通開口部３６は、スライダ搭載領域９の幅方向中央において、金属支持基板１１を厚み方向に連通するように、平面視略矩形状に貫通形成されている。挿通開口部３６は、発光素子４０（後述）を受け入れ可能に形成されている
　【００３５】
　
導通開口部２９は、配線折返部６の幅方向略中央において、幅方向に間隔を隔てて複数（２つ）直列配置され、金属支持基板１１を厚み方向に貫通する平面視略円形状に形成されている
　【００３６】
　
第１ベース絶縁層１２は、第１導体パターン１３が形成される部分に対応するように形成されている
　【００３７】
　詳しくは、
第１ベース絶縁層１２は、挿通開口部３６の先側半分を被覆し、挿通開口部３６の後側半分を露出するように、配線部２、実装部３のアウトリガー部８の全面に形成されている。つまり、第１ベース絶縁層１２の端縁４７（後端縁）は、ジンバル部５において、厚み方向に投影したときに、挿通開口部３６の先端縁よりも後側へ突出されている。なお、第１ベース絶縁層１２から露出される挿通開口部３６は、発光素子４０（後述）を受け入れ可能に形成されている
（３）「【００３８】
　また、第１ベース絶縁層１２は、配線折返部６において、金属支持基板１１の各導通開口部２９の周端縁を被覆している。これにより、
第１ベース絶縁層１２には、各導通開口部２９に対応する複数（２つ）の第１ベース貫通穴３４が、導通開口部２９と中心を共有する平面視略円形状に形成されている
　【００３９】
　
第１導体パターン１３は、磁気ヘッド３８（後述）に接続される磁気ヘッド側パターン６１と、発光素子４０（後述）に接続される電子素子側パターン６２とを備えている
（中略）
　【００４６】
  電子素子側パターン６２は、供給側端子２３と、表側導通部２７と、供給側端子２３および表側導通部２７を接続するための表側電源配線２５とを一体的に備えている。
（中略）
　【００５１】
　また、
回路付サスペンション基板１は、図２および図３に示すように、金属支持基板１１の裏面に積層される第２絶縁層としての第２ベース絶縁層１８と、第２ベース絶縁層１８の裏面に積層される第２導体パターン１９と
を備えている
　【００５２】
　
第２ベース絶縁層１８は、第２導体パターン１９が形成される部分に対応して形成されている
　【００５３】
　詳しくは、
第２ベース絶縁層１８は、実装部３の幅方向略中央（ジンバル部５）において、その後端縁が、厚み方向に投影したときに第１ベース絶縁層１２の端縁４７（後端縁）に重なるように、形成されている。つまり、第２ベース絶縁層１８の端縁４５（後端縁）は、ジンバル部５において、厚み方向に投影したときに、挿通開口部３６の先端縁よりも後側へ突出されている
　【００５４】
　また、第２ベース絶縁層１８は、配線折返部６において、金属支持基板１１の各導通開口部２９の周端縁を被覆している。これにより、
第２ベース絶縁層１８には、各導通開口部２９に対応する複数（２つ）の第２ベース貫通穴３５が、導通開口部２９と中心を共有する平面視略円形状に形成されている
　【００５５】
　
第２導体パターン１９は、裏側導通部２８、第２端子としての素子側端子２２、および、裏側導通部２８と素子側端子２２とを接続するための裏側電源配線２６を一体的に備えている
　【００５６】
　裏側導通部２８は、各第２ベース貫通穴３５にそれぞれ充填されるように、複数（２つ）形成されている。
　【００５７】
　これにより、
表側導通部２７と裏側導通部２８とは、第１ベース貫通穴３４および第２ベース貫通穴３５を介して、直接接触され、電気的に接続されている
　【００５８】
　素子側端子２２は、挿通開口部３６に臨むように、第２ベース絶縁層１８の後端部に配置されており、各裏側導通部２８に対応するように、幅方向に互いに間隔を隔てて複数（２つ）設けられている。また、素子側端子２２の端縁４６（後端縁）は、厚み方向に投影したときにジンバル部５における第２ベース絶縁層１８の端縁４５（後端縁）と略面一になるように、配置されている。」
（４）「【００６１】
　また、この回路付サスペンション基板１には、図３に示すように、スライダ３９と、電子素子としての発光素子４０とが実装される。
　【００６２】
　スライダ３９は、回路付サスペンション基板１とともに、ハードディスクドライブ（図示せず）のロードビーム（図示せず）の先端に実装され、ハードディスクドライブ（図示せず）が駆動されたときには、磁気ディスク（図示せず）に対して、相対的に走行しながら、微小間隔を隔てて浮上される。
　【００６３】
　
スライダ３９には、磁気ヘッド３８と、光導波路５１と、近接場光発生部材５４とが搭載されている
　【００６４】
　磁気ヘッド３８は、スライダ３９の先端部に搭載されている。磁気ヘッド３８は、ハードディスクドライブ（図示せず）が駆動されたときには、磁気ディスク（図示せず）に記録された情報の読み取り、または、磁気ディスク（図示せず）への情報の書き込みを実施する。また、磁気ヘッド３８の先端部には、回路付サスペンション基板１のヘッド側端子１６に対応するように、複数（６つ）の磁気ヘッド端子４３が設けられている。
　【００６５】
　光導波路５１は、磁気ヘッド３８の後側において、スライダ３９を厚み方向に貫通するように設けられ、発光素子４０から出射される光を近接場光発生部材５４へ伝送する。
　【００６６】
　近接場光発生部材５４は、光導波路５１の上端に連続されるように、スライダ３９の表面に搭載されている。近接場光発生部材５４は、光導波路５１から入射される光を近接場光に変換する。近接場光は、磁気ディスク（図示せず）に照射されると、磁気ディスク（図示せず）の微小な領域を加熱する。なお、近接場光発生部材５４は、金属散乱体や開口などからなり、例えば、特開２００７−２８０５７２号公報、特開２００７−０５２９１８号公報、特開２００７−２０７３４９号公報、特開２００８−１３０１０６号公報などに記載される、公知の近接場光発生装置が採用される。
　【００６７】
　
発光素子４０は、光導波路５１に光を入射させるための光源であって
　【００６８】
　
発光素子４０は、光導波路５１に接続されるように、スライダ３９の裏面に接続されている
発光素子４０は、光導波路５１および近接場光発生部材５４とともに発光ユニットを構成する
　【００６９】
　そして、
発光ユニットは、発光素子４０が挿通開口部３６に挿通されるとともに、スライダ３９が挿通開口部３６を表面側から被覆するように
スライダ搭載領域９に搭載されている
　図１乃至図３は以下のとおりである。
図１
図２
図３
　上記（１）〜（４）の記載及び図面、並びに当業者の技術常識を考慮すると、
ａ　上記（１）の記載によれば、引用例１は、光アシスト法により記録密度の向上を図るための発光素子を搭載した回路付サスペンション基板に関する。
ｂ　上記（２）及び（４）の記載によれば、スライダ３９には、磁気ヘッド３８、光導波路５１及び近接場光発生部材５４が搭載される。また、発光素子４０は、光導波路５１に光を入射させるための光源であって、光導波路５１に接続されるようにスライダ３９の裏面に接続され、光導波路５１および近接場光発生部材５４とともに発光ユニットを構成する。
　そして、回路付サスペンション基板１のスライダ搭載領域９は、スライダ３９を実装するための領域であって、発光素子４０が挿通開口部３６に挿通されるとともに、スライダ３９が挿通開口部３６を表面側から被覆するように、スライダ搭載領域９に搭載される。
　そうすると、回路付サスペンション基板１は、「磁気ヘッド３８、光導波路５１及び近接場光発生部材５４が搭載されるスライダ３９と、光導波路５１に光を入射させるための光源であって光導波路５１に接続されるようにスライダ３９の裏面に接続されて光導波路５１及び近接場光発生部材５４とともに発光ユニットを構成する発光素子４０と、を搭載するスライダ搭載領域９を有する」といえ、「発光ユニットがスライダ搭載領域９に搭載されるときに、スライダ３９は挿通開口部３６を表面側から被覆し、発光素子４０は挿通開口部３６に挿通される」といえる。
ｃ　上記（２）の記載によれば、回路付サスペンション基板１は、長手方向に延びる金属支持基板１１と、金属支持基板１１の表面に積層される第１絶縁層としての第１ベース絶縁層１２とを備える。そして、金属支持基板１１には、挿通開口部３６と、導通開口部２９とが形成されている。
　また、図１も併せて参照すれば、第１ベース絶縁層１２には、挿通開口部３６の先側半分を被覆し、挿通開口部３６の後側半分を露出する開口部が形成されていることが認められる。そして、第１ベース絶縁層１２の端縁４７（後端縁）は、厚み方向に投影したときに、挿通開口部３６の先端縁よりも後側へ突出され、第１ベース絶縁層１２から露出される挿通開口部３６は、発光素子４０を受け入れ可能に形成されている。
　そうすると、「回路付サスペンション基板１は、長手方向に延びる金属支持基板１１と、金属支持基板１１の表面に積層される第１絶縁層としての第１ベース絶縁層１２とを備え」、「金属支持基板１１には、挿通開口部３６と、導通開口部２９とが形成されており」、「第１ベース絶縁層１２には、挿通開口部３６の先側半分を被覆し、挿通開口部３６の後側半分を露出する開口部が形成されており」、「第１ベース絶縁層１２から露出される挿通開口部３６は、発光素子４０を受け入れ可能に形成されて」いるといえる。
ｄ　上記（２）及び（３）の記載並びに図２及び図３によれば、第１導体パターン１３は、発光素子４０に接続される電子素子側パターン６２を備え、電子素子側パターン６２は、各導通開口部２９に対応する第１ベース貫通穴３４および第２ベース貫通穴３５を介して金属支持基板１１の裏面に形成された第２導体パターン１９の素子側端子２２により発光素子４０に接続される。
　また、回路付サスペンション基板１は、金属支持基板１１の裏面の第２導体パターン１９が形成される部分に対応して形成される第２ベース絶縁層１８を備え、第２ベース絶縁層１８は、その後端縁が、厚み方向に投影したときに第１ベース絶縁層１２の端縁４７（後端縁）に重なるように形成され、第２ベース絶縁層１８の端縁４５（後端縁）は、厚み方向に投影したときに、挿通開口部３６の先端縁よりも後側へ突出されている。
　そうすると、「回路付サスペンション基板１は、電子素子側パターン６２を導通開口部２９を介して金属支持基板１１の裏面から発光素子４０に接続するために、金属支持基板１１の裏面に形成された素子側端子２２を有する第２導体パターン１９と、
　金属支持基板１１の裏面の第２導体パターン１９が形成される部分に対応して形成される第２ベース絶縁層１８とを備え、
　第１ベース絶縁層１２及び第２ベース絶縁層１８は、厚み方向に投影したときに、その後端縁（端縁４７及び端縁４５）が重なるように形成され、かつ、挿通開口部３６の先端縁よりも後側へ突出されている」といえる。
　上記ａ〜ｄを総合すると、引用例１には、光アシスト法により記録密度の向上を図るための発光素子を搭載した回路付サスペンション基板に関する次の発明（以下、「引用発明」という。）が記載されていると認める。
「磁気ヘッド３８、光導波路５１及び近接場光発生部材５４が搭載されるスライダ３９と、光導波路５１に光を入射させるための光源であって光導波路５１に接続されるようにスライダ３９の裏面に接続されて光導波路５１及び近接場光発生部材５４とともに発光ユニットを構成する発光素子４０と、を搭載するスライダ搭載領域９を有する回路付サスペンション基板１であって、
　回路付サスペンション基板１は、長手方向に延びる金属支持基板１１と、金属支持基板１１の表面に積層される第１絶縁層としての第１ベース絶縁層１２とを備え、
　金属支持基板１１には、挿通開口部３６と、導通開口部２９とが形成されており、
　第１ベース絶縁層１２には、挿通開口部３６の先側半分を被覆し、挿通開口部３６の後側半分を露出する開口部が形成されており、
　第１ベース絶縁層１２から露出される挿通開口部３６は、発光素子４０を受け入れ可能に形成されており、
　発光ユニットがスライダ搭載領域９に搭載されるときに、スライダ３９は挿通開口部３６を表面側から被覆し、発光素子４０は挿通開口部３６に挿通され、
　さらに、回路付サスペンション基板１は、電子素子側パターン６２を導通開口部２９を介して金属支持基板１１の裏面から発光素子４０に接続するために、金属支持基板１１の裏面に形成された素子側端子２２を有する第２導体パターン１９と、
　金属支持基板１１の裏面の第２導体パターン１９が形成される部分に対応して形成される第２ベース絶縁層１８とを備え、
　第１ベース絶縁層１２及び第２ベース絶縁層１８は、厚み方向に投影したときに、その後端縁（端縁４７及び端縁４５）が重なるように形成され、かつ、挿通開口部３６の先端縁よりも後側へ突出されている、
　回路付サスペンション基板１。」
２　引用例２の記載事項及び引用例２に記載された技術事項
　原査定の拒絶の理由で引用された、特開２０１２−０１８７４７号公報（平成２４年１月２６日公開。以下「引用例２」という。）には、図面とともに、次の記載がある（下線は当審において付与。）。
（１）「【技術分野】
　【０００１】
　本発明は、
熱アシスト磁気記録に用いる光を放射する光源を備えた光源ユニットと、スライダとを接続して構成される熱アシスト磁気記録ヘッドに関する
【背景技術】
　【０００２】
　近年のインターネットの爆発的な普及に伴い、サーバ、情報端末等において、従来とは桁違いの大容量を有する多量のデータが保存され利用され始めており、この傾向は、今後も加速度的に高まることが予測されている。そのような状況下で、
大容量ストレージとしての磁気ディスク装置に代表される磁気記録装置に対する需要は、ますます拡大し、その高記録密度化への要請も、日を追ってエスカレートしている
　【０００３】
　
この磁気記録技術において、さらなる高記録密度を達成するためには、磁気ヘッドが磁気記録媒体により微小な記録ビットを書き込むことが不可欠となる
磁化の熱安定性がより高い磁気記録媒体を使用可能とする熱アシスト磁気記録技術の開発が精力的に進められている
　【０００４】
　この熱アシスト磁気記録技術においては、記録ビットを形成する磁化がより安定するように磁気異方性エネルギーＫＵの大きな磁性材料で形成された磁気記録媒体を用いる一方で、この磁気記録媒体の書き込むべき部分を加熱することによってこの部分の異方性磁界を低下させ、その直後に書き込み磁界を印加して書き込みを行う。実際には、
磁気記録媒体に近接場光等の光を照射することによって磁気記録媒体を加熱する方法が一般的である。この方法においては、十分に高い強度の光を安定的に所望の位置に供給するために、高出力の光源を磁気ヘッド内の何処に且つどのように設置するかが重要なポイントとなる
（２）「　【００２５】
　図１は、本発明による熱アシスト磁気記録ヘッドの一実施形態を示す斜視図である。
　【００２６】
　図１によれば、
熱アシスト磁気記録ヘッド２１は、光源としてのレーザダイオード４０及び光検出部としてのフォトダイオード部５５を備えた光源ユニット２３と、光学系３１を備えたスライダ２２とが、位置を合わせられ接続されることによって構成されている
　【００２７】
　ここで、
スライダ２２は、
光学系３１を含むヘッド素子部２２１とを備えている
光源ユニット２３は、
ユニット基板２３０と、
光源としてのレーザダイオード４０と、ユニット基板２３０中に形成された、レーザダイオード４０の光出力を計測、監視（モニタリング）するフォトダイオード部５５とを備えている
（３）「【００９２】
　図７によれば、
ＨＧＡ１７において、サスペンション２０は、ロードビーム２００と、このロードビーム２００に固着されており弾性を有するフレクシャ２０１と、ロードビーム２００の基部に設けられたベースプレート２０２と、フレクシャ２０１の磁気ディスク１０に対向する面上に設けられた配線部材２０３０と、フレクシャ２０１の磁気ディスク１０とは反対側の面上に設けられた配線部材２０３１とを備えている。
【００９３】
　この
フレクシャ２０１には、開口２０１０が設けられており、熱アシスト磁気記録ヘッド２１は、その一部である光源ユニット２３がこの開口２０１０を通してフレクシャ２０１の反対側に出るように接着されている
配線部材２０３１の一端（接続パッド）は、光源ユニット２３の第１及び第２の引き出し電極４１２及び４１３、引き出し部４１０１（光源引き出し電極層４１０）、並びに光源端子電極４１１に同じくワイヤボンディング、ＳＢＢ等の方法によって電気的に接続されている。これらの電気的接続に関しては、次に図８を用いて説明する
　【００９４】
　図８は、本発明によるＨＧＡ１７の一実施形態における、フレクシャ２０１と熱アシスト磁気記録ヘッド２１との接続を概略的に示す斜視図である。同図においては、ヘッド２１の磁気ディスク１０表面に対向するＡＢＳ２２００が下側になって表示されている。
　【００９５】
　
図８によれば、熱アシスト磁気記録ヘッド２１の背面２２０１とフレクシャ２０１とが、開口２０１０を通して光源ユニット２３がフレクシャ２０１の反対側に突き出るように、接着されている
フレクシャ２０１は、ステンレス鋼等で形成された基板２０１ａと、ポリイミド等で形成されており基板２０１ａを被覆する
被覆層２０１ｃ上に、同じくＣｕ等の導電材料から形成された配線部材２０３１が設けられている
　【００９６】
　配線部材２０３０の接続パッド２０３０ａ〜２０３０ｄは、ＭＲ素子３３及び電磁変換素子３４用の端子電極３７０及び３７１に、ワイヤボンディング、ＳＢＢ等の方法によって電気的に接続されている。これにより、配線部材２０３０を介して、ＭＲ素子３３及び電磁変換素子３４を動作させることができる。また、
配線部材２０３１の接続パッド２０３１ａ〜２０３１ｄは、レーザダイオード４０用の引き出し部４１０１及び光源端子電極４１１とフォトダイオード部５５用の第１及び第２の引き出し電極４１２及び４１３とに、ワイヤボンディング、ＳＢＢ等の方法によって電気的に接続されている
　図１及び図８は以下のとおりである。
図１
図８
ａ　上記（１）の記載によれば、熱アシスト磁気記録に用いる光を放射する光源を備えた光源ユニットと、スライダとを接続して構成される熱アシスト磁気記録ヘッドを備えたヘッドジンバルアセンブリ（ＨＧＡ）の背景技術として、さらなる高記録密度を達成し、磁化の熱安定性がより高い磁気記録媒体を使用可能とする熱アシスト磁気記録技術の開発が精力的に進められており、磁気記録媒体に近接場光等の光を照射することによって磁気記録媒体を加熱する方法では、十分に高い強度の光を安定的に所望の位置に供給するために、高出力の光源を磁気ヘッド内の何処に且つどのように設置するかが重要なポイントであったとしている。
　よって、引用例２は、さらなる高記録密度を達成し、磁化の熱安定性がより高い磁気記録媒体を使用可能とする熱アシスト磁気記録技術において、磁気記録媒体に近接場光等の光を照射することによって磁気記録媒体を加熱する方法に用いられる熱アシスト磁気記録ヘッドに関する。
ｂ　上記（２）の記載及び図１によれば、熱アシスト磁気記録ヘッド２１は、光源としてのレーザダイオード４０及び光検出部としてのフォトダイオード部５５を備えた光源ユニット２３と、光学系３１を備えたスライダ２２とから構成される。また、スライダ２２は、光学系３１を含むヘッド素子部２２１を備え、光源ユニット２３は、光源としてのレーザダイオード４０と、ユニット基板２３０と、ユニット基板２３０中に形成されたフォトダイオード部５５とを備える。そして、図１も参照すれば、光源としてのレーザダイオード４０は、ユニット基板２３０から突出するように設けられていることが認められる。また、図８によれば、熱アシスト磁気記録ヘッド２１は、レーザダイオード４０が、ユニット基板２３０から長手方向一方側に向って突出するようにフレクシャ２０１に搭載されることが認められる。
　そうすると、熱アシスト磁気記録ヘッド２１は、「ヘッド素子部を備えるスライダと、ユニット基板及び前記ユニット基板から突出するように設けられる光源としてのレーザダイオードを備える光源ユニットとが設けられ、前記レーザダイオードが、前記ユニット基板から長手方向一方側に向って突出するようにフレクシャに搭載される熱アシスト磁気記録ヘッド」といえる。
　よって、引用例２には、さらなる高記録密度を達成し、磁化の熱安定性がより高い磁気記録媒体を使用可能とする熱アシスト磁気記録技術における、磁気記録媒体に近接場光等の光を照射することによって磁気記録媒体を加熱する方法に用いる熱アシスト磁気記録ヘッドに関する、次の技術事項が記載されているといえる。
「ヘッド素子部を備えるスライダと、ユニット基板及び前記ユニット基板から突出するように設けられる光源としてのレーザダイオードを備える光源ユニットとが設けられた、前記レーザダイオードが、前記ユニット基板から長手方向一方側に向って突出するようにフレクシャに搭載される熱アシスト磁気記録ヘッド。」
３　本願出願当時の技術水準を示す周知技術
（１）引用例２
　引用例２の記載事項については、上記２の（１）〜（３）の記載、図１及び図８参照。
　上記２の（１）〜（３）の記載及び図面、並びに当業者の技術常識を考慮すると、
ａ　上記２のとおり、熱アシスト磁気記録ヘッド２１は、「ヘッド素子部を備えるスライダと、ユニット基板及び前記ユニット基板から突出するように設けられる光源としてのレーザダイオードを備える光源ユニットとが設けられた」「熱アシスト磁気記録ヘッド」であるから、「ヘッド素子部を備えるスライダ」、「ユニット基板」、「ユニット基板から突出するように設けられる光源としてのレーザダイオード」及び「光源ユニット」は、それぞれ「磁気ヘッドを搭載するスライダ」、「本体」、「本体から突出するように設けられる光源」、「光源装置」といえ、「スライダ」と「光源装置」とが設けられた」「熱アシスト磁気記録ヘッド」は、「磁気ヘッドを搭載するスライダと、本体及び前記本体から突出するように設けられる光源を備える光源装置とが設けられるスライダ／光源ユニット」といえる。
ｂ　上記（３）の記載及び図８によれば、フレクシャ２０１は、ステンレス鋼等で形成された基板２０１ａと、基板２０１ａを被覆するポリイミド等で形成された被覆層２０１ｂ及び２０１ｃとを備える。また、被覆層上に接続パッド２０３０ａ〜ｄ及び２０３１ａ〜ｄを有する配線部材２０３０及び２０３１が設けられる。そして、接続パッド２０３１ａは、ユニット基板２３０から長手方向に突出するように設けられたレーザダイオード４０の光源端子電極４１１に接続され、接続パッド２０３１ｂ〜２０３１ｄは、ユニット基板２３０上に設けられたレーザダイオード４０用の引き出し部４１０１並びにフォトダイオード部５５用の第１及び第２の引き出し電極４１２及び４１３に接続される。
　そして、熱アシスト磁気記録ヘッド２１の背面２２０１とフレクシャ２０１とは、開口２０１０を通して光源ユニット２３がフレクシャ２０１の反対側に突き出るように接着されるから、熱アシスト磁気記録ヘッド２１が接着される上記フレクシャ２０１は、「スライダ／光源ユニットを搭載するための回路付サスペンション基板」といえる。
　ここで、図１によれば、上記引き出し部４１０１及び上記第２の引き出し電極４１３と、上記第１の引き出し電極４１２とは、ユニット基板２３０上、レーザダイオード４０を挟んで反対側に配置されていることが認められる。そして、図８によれば、平面視上、上記引き出し部４１０１並びに上記第１及び第２の引き出し電極４１２及び４１３が接続される接続パッド２０３１ｂ〜ｄの被覆層上の位置と、レーザダオード４０の位置とが重なっていることからみて、平面視上、レーザダイオード４０の手前及び奥には接続パッド２０３１ｂ〜ｄが配置された被覆層が存在することが認められる。
　そうすると、ポリイミド等で形成された被覆層には、ユニット基板が配置される開口部分と、レーザダイオードの形状に合わせて該開口部分から長手方向に突出する突出開口部分とが形成されており、前記フレクシャのレーザダイオードが配置される位置は、前記突出開口部分によって区画されていると解することができるから、「スライダ／光源ユニットを搭載するための回路付サスペンション基板に、本体及び前記本体から突出するように設けられる光源の形状に合わせた開口を形成」しているといえる。
　また、光源ユニットが上記開口を通してフレクシャ２０１の反対側に突き出るように接着されるときに、前記レーザダイオード４０は、前記突出開口部分の端面を通過して所定の位置に配置されるから、「本体から突出するように設けられる光源を、当該光源の形状に合わせて形成された開口の所定の位置に受け入れる」といえる。
（２）米国特許出願公開第２０１１／０１２８８２７号明細書
　米国特許出願公開第２０１１／０１２８８２７号明細書（２０１１年６月２日公開。以下、周知例１という。）には、図面とともに、次の記載がある（下線は当審において付与。）。
ア　「As shown in FIG.2, the thermally-assisted magnetic recording head 21 is constituted by joining a light source unit 23 including a laser diode 40 as a light source to a slider 22. The slider 22 includes a slider substrate 220 and a head element part 221 provided on the element-integration surface of the slider substrate 220. （中略）Further, the flexure 201 has an aperture 2010; the light source unit 23 protrudes from the aperture 2010 on the side opposite to the slider 22 in relation to the flexure 201.」（段落００５６）
（当審訳：「図２に示したように、熱アシスト磁気記録ヘッド２１は、レーザダイオード４０を備えた光源である光源ユニット２３を接合するスライダ２２とから構成されている。スライダ２２は、スライダ基板２２０の集積面に設けられたスライダ基板２２０とヘッド素子部２２１を備えている。（中略）さらに、フレクシャ２０１は、開口部２０１０を有しており、光源ユニット２３は、フレクシャ２０１との関係においてスライダ２２とは反対側で開口部２０１０から突出している。」）
イ　「As shown in FIG.3, a thermally-assisted magnetic recording head 21 is constituted of the slider 22 and the light source unit 23 as described above. （中略） While, the light source unit 23 includes: a unit substrate 230 having an joining surface 2300, and formed of, for example, AlTiC (Al2O3-TiC); and a laser diode 40 as a light source provided on a source-installation surface 2302 that is perpendicular to and adjacent to the joining surface 2300.（以下、略）」（段落００６２）
（当審訳：「図３に示すように、スライダ２２と光源ユニット２３とから構成される熱アシスト磁気記録ヘッド２１が設けられている。（中略）光源ユニット２３は、接合面２３００を有し、例えば、アルティック（Ａｌ２Ｏ３−ＴｉＣ）で形成されたユニット基板２３０と、接合面２３００に垂直で隣接した光源設置面２３０２に設けられた光源としてのレーザダイオード４０とを含む。（以下、略）」）
　図２は、次のとおりである。
（３）国際公開第２０１２／１１４４６０号
　国際公開第２０１２／１１４４６０号（２０１２年８月３０公開。以下、周知例２という。）には、図面とともに、次の記載がある（下線は当審において付与。）。
ア　「［００２３］　これらの図において、ディスク１は回転可能に支持されており（図１を参照）、
磁気ヘッド２１を含むスライダ２
［００２４］　一方、
サブマウント３１上にＬＤ（発光ダイオード）３２が実装されている光源（ＬＤ）ユニット３は、スライダ２に搭載されている（図４を参照）
イ　「［００３０］　そして、
図６にも示すように、サスペンション４のフレクシャ４１とロードビーム４２には、各々、開口部としての孔４１１、４２１が形成されており、当該孔４１１、４２１を貫通するようにＬＤユニット３を配置することで、サスペンション４と干渉することなくＬＤユニット３（３１、３２）を実装することが可能となる。
　図３、図６は、以下のとおりである。
図３
図６
（４）周知技術
　上記（１）〜（３）によれば、本願出願当時の技術水準を示す、以下の周知技術が認められる。
　「磁気ヘッドを搭載するスライダと、本体及び前記本体から突出するように設けられる光源を備える光源装置とが設けられるスライダ／光源ユニットを搭載するための回路付きサスペンション基板に、本体及び前記本体から突出するように設けられる光源の形状に合わせた開口を形成し、前記光源を、当該光源の形状に合わせて形成された開口の所定の位置に受け入れる。」
第５　対比
　本願発明と引用発明とを対比する。
（１）引用発明の「磁気ヘッド３８、光導波路５１及び近接場光発生部材５４が搭載されるスライダ３９」は、「磁気ヘッド３８」が搭載される「スライダ３９」であり、本願明細書の段落０１０１及び図６によれば、本願発明の「磁気ヘッドを搭載するスライダ」が「光導波路３６および近接場光発生部材３７」を搭載することを排除していないから、本願発明の「磁気ヘッドを搭載するスライダ」に対応する。また、引用発明の「光導波路５１に光を入射させるための光源であって光導波路５１に接続されるようにスライダ３９の裏面に接続されて光導波路５１及び近接場光発生部材５４とともに発光ユニットを構成する発光素子４０」は、本願発明の「光源を備える光源装置」に対応する。そして、引用発明の「スライダ３９」と「光導波路５１に接続されるようにスライダ３９の裏面に接続されて光導波路５１及び近接場光発生部材５４とともに発光ユニットを構成する発光素子４０」とを合わせたものは、本願発明にいう「スライダ／光源ユニット」に対応し、引用発明において、上記「スライダ３９」と上記「発光素子４０」とを「搭載するスライダ搭載領域９を有する回路付サスペンション基板１」は、本願発明の「スライダ／光源ユニットを搭載するための回路付サスペンション基板」に対応する。
　そうすると、本願発明と引用発明とは、「磁気ヘッドを搭載するスライダと、光源を備える光源装置とが設けられるスライダ／光源ユニットを搭載するための回路付サスペンション基板」である点で共通するといえる。
（２）引用発明の「長手方向に延びる金属支持基板１１」及び「挿通開口部３６」は、本願発明の「長手方向に延びる金属支持基板」及び「支持開口部」に相当し、本願発明と引用発明とは、「前記金属支持基板には、支持開口部が形成されて」いる点で一致する。
　また、引用発明の「金属支持基板１１の表面に積層される第１絶縁層としての第１ベース絶縁層１２」は、本願発明の「前記金属支持基板の厚み方向一方側に積層されるベース絶縁層」に相当し、引用発明の第１ベース絶縁層１２には、「挿通開口部３６の先側半分を被覆し、挿通開口部３６の後側半分を露出する開口部」が形成されているから、本願発明と引用発明とは、「前記ベース絶縁層には、前記支持開口部と前記厚み方向において部分的に重複するベース開口部が形成されて」いる点で共通する。
　ここで、引用発明では、さらに金属支持基板１１の裏面に形成された素子側端子２２を有する第２導体パターン１９と第２ベース絶縁層１８とを備え、表面の電子素子側パターン６２を、導通開口部２９を介して裏面の第２導体パターン１９の素子側端子２２により発光素子４０に接続している。他方、本願発明においても、光源装置に配線を接続する必要があることは当然であるが、請求項１には、光源装置に接続するための配線や端子の構成について何ら特定はない。
　そうすると、本願発明は、引用発明のように、さらに金属支持基板の裏面に第２導体パターン及び第２ベース絶縁層を備えて光源装置に接続するための配線を裏面の素子側端子により接続することを排除していないといえる。
　よって、本願発明と引用発明とは、「前記回路付サスペンション基板は、長手方向に延びる金属支持基板と、前記金属支持基板の厚み方向一方側に積層されるベース絶縁層とを備え」る点で一致するといえる。
（４）引用発明の「第１ベース絶縁層１２から露出される挿通開口部３６」は、発光素子４０を受け入れ可能に形成されており、スライダ３９が挿通開口部３６を表面側から被覆し、発光素子４０が挿通開口部３６に挿通されることで、発光ユニットがスライダ搭載領域９に搭載される。
　そうすると、引用発明の「第１ベース絶縁層１２から露出される挿通開口部３６」は、本願発明の「前記光源を受け入れ可能な受入部」に対応し、本願発明と引用発明とは、「前記回路付サスペンション基板には、前記光源を受け入れ可能な受入部が形成されており」、「前記受入部が、開口によって区画され」る点で共通するといえる。
　また、本願発明にいう「光源」を含む引用発明の発光素子４０は、発光ユニットをスライダ搭載領域９に搭載するときに、第１ベース絶縁層１２から露出される挿通開口部３６の端面を通過して、挿通開口部３６の所定の受入位置まで挿通されると解されるから、引用発明の「第１ベース絶縁層１２から露出される挿通開口部３６の端面」は、前記受入部に案内するための案内面として機能するといえ、前記案内面は、開口の端面から形成されているといえる。
　よって、本願発明と引用発明とは、「前記回路付サスペンション基板は、前記スライダ／光源ユニットが搭載されるときに、前記光源を前記受入部に案内するための案内面を備え」、「前記案内面は、開口の端面から形成されている」点で共通するといえる。
　したがって、本願発明と引用発明との一致点・相違点は、次のとおりである。
［一致点］
「 磁気ヘッドを搭載するスライダと、光源を備える光源装置とが設けられるスライダ／光源ユニットを搭載するための回路付サスペンション基板であって、
  前記回路付サスペンション基板には、前記光源を受け入れ可能な受入部が形成されており、
　前記回路付サスペンション基板は、前記スライダ／光源ユニットが搭載されるときに、前記光源を前記受入部に案内するための案内面を備え、
　前記回路付サスペンション基板は、長手方向に延びる金属支持基板と、前記金属支持基板の厚み方向一方側に積層されるベース絶縁層とを備え、
　前記金属支持基板には、支持開口部が形成されており、
　前記ベース絶縁層には、前記支持開口部と前記厚み方向において部分的に重複するベース開口部が形成されており、
　前記受入部が、開口によって区画され、
　前記案内面は、開口の端面から形成されていることを特徴とする、回路付サスペンション基板。」
［相違点］
　本願発明では、回路付サスペンション基板が搭載するスライダ／光源ユニットの光源装置が備える光源が、「本体および前記本体から突出するように設けられる」ものであり、
　回路付サスペンション基板のベース絶縁層に、「前記ベース開口部の前記長手方向一端部から、前記長手方向一方側に向かって突出する突出開口」が形成されており、
　受入部は、「前記突出開口によって区画され」、
　案内面は、「前記突出開口の端面から形成されている」のに対し、
　引用発明では、光源が、本体および前記本体から突出するように設けられておらず、これに伴い、
　回路付サスペンション基板のベース絶縁層に、「突出開口」は形成されておらず、
　受入部は、「第１ベース絶縁層１２から露出される挿通開口部３６」によって区画されており、
　案内面は、「第１ベース絶縁層１２から露出される挿通開口部３６」の端面から形成されている点。
第６　判断 
　引用発明の「回路付サスペンション基板１」は、光アシスト法により記録密度の向上を図るための発光素子を搭載した回路付サスペンション基板に関し、磁気ヘッド３８が搭載されるスライダ３９と、スライダ３９の裏面に接続されて光導波路５１及び近接場光発生部材５４とともに発光ユニットを構成する光源としての発光素子４０と、を搭載するものである。
　そして、上記「第４」の２のとおり、引用例２に記載された技術事項は、さらなる高記録密度を達成し、磁化の熱安定性がより高い磁気記録媒体を使用可能とする熱アシスト磁気記録技術における、磁気記録媒体に近接場光等の光を照射することによって磁気記録媒体を加熱する方法に用いる熱アシスト磁気記録ヘッドに関するものであるから、引用発明において、さらなる記録密度の向上を図るために、上記引用例２に記載された「ヘッド素子部を備えるスライダと、ユニット基板及び前記ユニット基板から突出するように設けられる光源としてのレーザダイオードを備える光源ユニットとが設けられた、前記レーザダイオードが、前記ユニット基板から長手方向一方側に向って突出するようにフレクシャに搭載される熱アシスト磁気記録ヘッド」（本願発明の「磁気ヘッドを搭載するスライダと、本体および前記本体から突出するように設けられる光源を備える光源装置とが設けられるスライダ／光源ユニット」に相当。）を搭載する動機があるといえる。
　ここで、上記「第４」の３のとおり、本願出願当時の技術水準として、「磁気ヘッドを搭載するスライダと、本体及び前記本体から突出するように設けられる光源を備える光源装置とが設けられるスライダ／光源ユニットを搭載するための回路付サスペンション基板に、本体及び前記本体から突出するように設けられる光源の形状に合わせた開口を形成し、前記光源を、当該光源の形状に合わせて形成された開口の所定の位置に受け入れる」ことが周知技術であったことも踏まえれば、引用発明の回路付サスペンション基板に、上記引用例２に記載された「熱アシスト磁気記録ヘッド」を「前記レーザダイオードが、前記ユニット基板から長手方向一方側に向って突出するように」搭載するにあたり、レーザダイオードの形状に合わせた開口を形成し、レーザダイオードを、当該開口の所定位置に受け入れることは、当業者が適宜なし得る実装上の変更にすぎない。
　よって、引用発明において、上記引用例２に記載された「熱アシスト磁気記録ヘッド」を搭載するために、厚み方向に投影したときに、その後端縁（端縁４７及び端縁４５）が重なるように形成され、かつ、挿通開口部３６の先端縁よりも後側へ突出されている第１ベース絶縁層１２及び第２ベース絶縁層１８に、ユニット基板から長手方向一方側に向って突出したレーザダイオードの形状に合わせて、「前記ベース開口部の前記長手方向一端部から、前記長手方向一方側に向かって突出する突出開口」を形成し、上記引用例２に記載された「熱アシスト磁気記録ヘッド」が搭載されるときに、上記レーザダイオードが、「前記突出開口の端面から形成されている」案内面を通過し、「前記突出開口によって区画され」た受入部に受け入れられるようにして、本願発明とすることは、当業者が容易に想到し得る。
　したがって、本願発明は、上記周知技術によって示される本願出願当時の技術水準に鑑みれば、上記引用例１に記載された発明及び上記引用例２に記載された技術事項に基づいて、当業者が容易に発明をすることができたものである。
第７　むすび 
　以上のとおり、本願の請求項１に係る発明は、特許法第２９条第２項の規定により特許を受けることができないから、本願の他の請求項について検討するまでもなく、本願は拒絶されるべきものである。
　よって、結論のとおり審決する。